(57)【要約】      （修正有）【課題】腿や上肢等の身体の各部位に使用でき、双方向のエクササイズを行えるエクササイザを提供する。【解決手段】第一ブロック１０と、第二ブロック１１と、第一トルク１４と、第二トルク１５と、ダンパーユニット１３とを備える。第一ブロックは軸により第二ブロックに枢接される。ダンパーユニットは第一ブロック及び第二ブロックに連結され、両ブロックの回転に対する抵抗力を提供する。第一トルクは、固定部材１６により第一ブロックの上方の第一位置Ｐ１に、或いは固定部材を凹部１０６に差し換えて、下方の第二位置に位置され、第二トルクも同様に、第二ブロックの上方の第一位置Ｐ１’、或いは下方の第二位置に位置される。第一トルク及び第二トルクに外力がかけられると、第一トルクと第二トルクとの距離が増減する。【選択図】図３Ａ
0003199856.tif 000002
【実用新案登録請求の範囲】
【請求項１】
第一ブロックと、
軸により前記第一ブロックに枢接され、前記第一ブロックと共に前記軸を巻回して反対方向に回転する第二ブロックと、
前記第一ブロック及び前記第二ブロックに連結され、前記第一ブロック及び前記第二ブロックの回転に対する抵抗力を提供するダンパーユニットと、
前記第一ブロックに連結され、前記第一ブロックの第一位置或いは第二位置に位置される第一トルクと、
前記第二ブロックに連結され、前記第二ブロックの第一位置或いは第二位置に位置される第二トルクとを備え、
前記第一トルク及び前記第二トルクに外力がかけられると、前記第一トルクと前記第二トルクとの距離が増減することを特徴とする、
エクササイザ。
【請求項２】
前記第一ブロックは第一固定部材を含み、前記第一トルクは前記第一固定部材により前記第一ブロックに連結され、前記第一トルクは前記第一ブロックの前記第一位置或いは前記第二位置に位置され、前記第二ブロックは第二固定部材を含み、前記第二トルクは前記第二固定部材により前記第二ブロックに連結され、前記第二トルクは前記第二ブロックの前記第一位置或いは前記第二位置に位置されることを特徴とする、請求項１に記載のエクササイザ。
【請求項３】
前記第一ブロックは第一凹部及び第二凹部をさらに備え、前記第一固定部材が前記第一ブロックの前記第一凹部或いは前記第二凹部に設置するように置換され、前記第一トルクが前記第一ブロックの前記第一位置或いは前記第二位置に位置され、前記第二ブロックは第一凹部及び第二凹部をさらに含み、前記第二固定部材は前記第二ブロックの前記第一凹部或いは前記第二凹部に設置するように置換され、前記第二トルクが前記第二ブロックの前記第一位置或いは前記二位置に位置されることを特徴とする、請求項２に記載のエクササイザ。
【請求項４】
前記第一ブロックは第一軸をさらに含み、前記第二ブロックは第二軸をさらに含み、前記第一トルクの一端は前記第一軸に枢接され、前記第二トルクの一端は前記第二軸に枢接されることを特徴とする、請求項３に記載のエクササイザ。
【請求項５】
第一ブロックと、
軸により前記第一ブロックに枢接され、前記第一ブロックと共に前記軸を巻回して反対方向に回転する第二ブロックと、
前記第一ブロック及び前記第二ブロックに連結され、前記第一ブロック及び前記第二ブロックの回転に対する抵抗力を提供するダンパーユニットと、
第一部分及び第二部分で構成され、前記第一ブロックに連結され、前記第一部分は前記第一ブロックの第一位置に位置され、前記第二部分は前記第一ブロックの第二位置に位置される第一トルクと、
第一部分及び第二部分を含み、前記第二ブロックに連結され、前記第一部分は前記第二ブロックの第一位置に位置され、前記第二部分は前記第二ブロックの第二位置に位置される第二トルクとを備え、
前記第一トルクの前記第一部分及び前記第二トルクの前記第一部分に外力がかけられると、前記第一トルクと前記第二トルクとの距離が減少し、前記第一トルクの前記第二部分及び前記第二トルクの前記第二部分に外力がかけられると、前記第一トルクと前記第二トルクとの距離が増加することを特徴とする、
エクササイザ。
【考案の詳細な説明】
【技術分野】
【０００１】
本考案は、フィットネス器具に関し、より詳しくは、エクササイザに関する。
【背景技術】
【０００２】
特許文献１は下肢運動具である。使用者がチェアクッションユニットと、背もたれと、４本の足とで構成される椅子に座り、腿のエクササイザの第一擺動棒及び第二擺動棒が両足の内側に設置される。第一擺動棒と第二擺動棒との間には連結棒機構を有し、且つ共に垂直枢接棒及び偏移ダンパーに連結される。使用者が両足で第一擺動棒の腿接触部及び第二擺動棒の腿接触部に内に向けて力をかけ、これにより腿の筋肉のエクササイズを行う。
【先行技術文献】
【特許文献】
【０００３】
【特許文献１】アメリカ特許出願第ＵＳ７、３１６、６３５号公報
【考案の概要】
【考案が解決しようとする課題】
【０００４】
しかしながら、前述した従来の技術、即ち、特許文献１のような下肢運動具は腿の内側しかエクササイズできず、外側のエクササイズはできない。或いは、従来の下肢運動具は一方向のエクササイズしかできない。
【０００５】
そこで、本考案者は上記の欠点が改善可能と考え、鋭意検討を重ねた結果、合理的設計で上記の課題を効果的に改善する本考案のエクササイザの提案に到った。
【０００６】
本考案は、このような従来の問題に鑑みてなされたものであり、腿や上肢等の身体の各部位に使用でき、双方向のエクササイズを行えるようにするエクササイザを提供することを主目的とする。
【課題を解決するための手段】
【０００７】
上述した課題を解決し、目的を達成するための本考案に係るエクササイザは、第一ブロックと、軸により前記第一ブロックに枢接され、前記第一ブロックと共に前記軸を巻回して反対方向に回転する第二ブロックと、前記第一ブロック及び前記第二ブロックに連結され、前記第一ブロック及び前記第二ブロックの回転に対する抵抗力を提供するダンパーユニットと、前記第一ブロックに連結され、前記第一ブロックの第一位置或いは第二位置に位置される第一トルクと、前記第二ブロックに連結され、前記第二ブロックの第一位置或いは第二位置に位置される第二トルクとを備え、これにより、前記第一トルク及び前記第二トルクに外力がかけられると、前記第一トルクと前記第二トルクとの距離が増減することを特徴とする。
【０００８】
好ましい実施態様では、第一ブロックは第一固定部材を備え、第一トルクは第一固定部材により第一ブロック連結され、第一トルクが第一ブロックの第一位置或いは第二位置に位置される。第二ブロックは第二固定部材を備え、第二トルクは第二固定部材により第二ブロックに連結され、第二トルクが第二ブロックの第一位置或いは前記第二位置に位置される。
【０００９】
好ましい実施態様では、第一ブロックは第一凹部及び第二凹部をさらに備える。第一固定部材は第一ブロックの第一凹部或いは第二凹部に設置するように置換され、第一トルクが第一ブロックの第一位置或いは第二位置に位置される。第二ブロックは第一凹部及び第二凹部をさらに備え、第二固定部材は第二ブロックの第一凹部或いは第二凹部に設置するように置換され、第二トルクが第二ブロックの第一位置或いは第二位置に位置される。
【００１０】
好ましい実施態様では、第一ブロックは第一軸をさらに備え、第二ブロックは第二軸をさらに備え、第一トルクの一端は第一軸に枢接され、第二トルクの一端は第二軸に枢接される。
【００１１】
好ましい実施態様では、ダンパーユニットスプリングを備え、スプリングは二端を有し、その内の一端は第一ブロックに連結され、他端は第二ブロックに連結される。
【００１２】
好ましい実施態様では、ダンパーユニットは移動ブロックと、スクリューと、第一ブロックに設置される調整つまみとをさらに備え、スプリングの一端は移動ブロックに連結され、移動ブロックは前記スクリューに噛合される内ねじ山を有し、調整つまみはスクリューに連結され、調整つまみが回転すると移動ブロックが連動されてスクリューに沿って移動する。
【００１３】
また、他の実施態様によれば、本考案に係るエクササイザは、第一ブロックと、軸により前記第一ブロックに枢接され、前記第一ブロックと共に前記軸を巻回して反対方向に回転する第二ブロックと、前記第一ブロック及び前記第二ブロックに連結され、前記第一ブロック及び前記第二ブロックの回転に対する抵抗力を提供するダンパーユニットと、第一部分及び第二部分で構成され、前記第一ブロックに連結され、前記第一部分は前記第一ブロックの第一位置に位置され、前記第二部分は前記第一ブロックの第二位置に位置される第一トルクと、第一部分及び第二部分を含み、前記第二ブロックに連結され、前記第一部分は前記第二ブロックの第一位置に位置され、前記第二部分は前記第二ブロックの第二位置に位置される第二トルクとを備え、前記第一トルクの前記第一部分及び前記第二トルクの前記第一部分に外力がかけられると、前記第一トルクと前記第二トルクとの距離が減少し、前記第一トルクの前記第二部分及び前記第二トルクの前記第二部分に外力がかけられると、前記第一トルクと前記第二トルクとの距離が増加することを特徴とする。
【考案の効果】
【００１４】
本考案によれば、例えば腿や上肢等の身体の各部位に使用でき、双方向のエクササイズが行える。
【図面の簡単な説明】
【００１５】
【図１Ａ】本考案の一実施形態に係るエクササイザの構造図である。
【図１Ｂ】本考案の一実施形態に係るエクササイザの構造図である。
【図２】本考案の他の実施形態に係るエクササイザの構造図である。
【図３Ａ】本考案の一実施形態に係るエクササイザを示す。
【図３Ｂ】本考案の一実施形態に係るエクササイザを示す。
【図４Ａ】本考案の他の実施形態に係るエクササイザを示す。
【図４Ｂ】本考案の他の実施形態に係るエクササイザを示す。
【図５】本考案の他の実施形態に係るエクササイザを示す外観斜視図である。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。なお、いつくかの実施形態において、同じないしは相似する部材の符号は同じ、相似する、ないしは類似する部材及び／或いは素子を示すが、但しいくつかの実施形態においては、異なる部材を示す。いくつかの実施形態では、方向を示す名詞の上、下、左、右、上向き、下向き、超過、上方、下方、後面、前面等は字義通り解釈するが、但し他の実施形態では字義通りに解釈しない。また、本考案の部材を分かりやすく表示するため、図中では一部の部材を省略する。明細書において、読者に本考案の理解を促すために、特定の部分を仔細に亘って図示する。然しながら、本考案ではこれらの特定の細部を一部或いは全部省略しても実施可能である。
【００１７】
図１Ａ及び図１Ｂは本考案の好ましい実施形態に係るエクササイザの構造図（ｍｏｖｅｍｅｎｔ  ｓｔｒｕｃｔｕｒｅ）である。図１Ａ及び図１Ｂに示すように、機構構造は第一ブロック１０及び第二ブロック１１を備え、第一ブロック１０の中心区域は軸１２により第二ブロック１１に枢接され、２つのブロック１０／１１は軸１２に巻回して反対方向に回転する。第一ブロック１０は反時計回り方向Ｂに回転し、第二ブロック１１は時計回り方向Ａに回転する（図１Ａ参照）。また、第一ブロック１０は時計回り方向Ａに回転し、第二ブロック１１は反時計回り方向Ｂに回転する（図１Ｂ参照）。
【００１８】
なお、図１Ａ及び図１Ｂに示すように、エクササイザの機構構造は第一ブロック１０及び前記第二ブロック１１に連結されるダンパーユニット１３をさらに備え、２つのブロック１０／１１の回転に対する抵抗力を提供する。
【００１９】
ダンパーユニット１３の構造には制限がない。この実施態様では、ダンパーユニット１３は二端を有するスプリング１３０を備え、その内の一端は第一ブロック１０に連結され、他端は第二ブロック１１に連結される。
【００２０】
好ましくは、ダンパーユニット１３が提供する抵抗力は調整可能である。この実施態様では、ダンパーユニット１３は移動ブロック１３２と、スクリュー１３４と、第一ブロック１０に設置される調整つまみ１３６とをさらに備える（他の実施形態では、移動ブロック１３２と、スクリュー１３４と、第二ブロック１１に設置される調整つまみ１３６とをさらに備える）。
スプリング１３０の一端は第二ブロック１１に連結され、他端は移動ブロック１３２に連結され、移動ブロック１３２はスクリュー１３４に噛合される内ねじ山を有する。調整つまみ１３６はスクリュー１３４に連結され、調整つまみ１３６が回転することで移動ブロック１３２が連動されてスクリュー１３４に沿って移動し、スプリング１３０の角度が改変されて、抵抗力も変化する。
【００２１】
ちなみに、図１Ａ及び図１Ｂは本考案の機構と構造の概念を示すものであり、その外観は図示するものとは異なる場合もある。
【００２２】
図２は本考案の他の実施形態に係るエクササイザの構造図である。第一ブロック１０と、第二ブロック１１と、ダンパーユニット１３とを備える。第一ブロック１０及び第二ブロック１１は一部が重畳する。例えば、第一ブロック１０の一部が第二ブロック１１内で活動し、操作時に２つのブロック１０／１１がダンパーユニット１３のスプリング１３０を被覆させることで、使用上の安全性を向上させる。
【００２３】
図３Ａ及び図３Ｂは本考案の一実施形態に係るエクササイザ１を示す。この実施態様では、エクササイザ１は図２の機構構造に類似する機構構造を備えるが、但し、他の実施形態では、図１Ａの機構構造が使用される。
エクササイザ１は前述の第一ブロック１０と、第二ブロック１１と、ダンパーユニット１３とを含む（図２、図３Ａ及び図３Ｂ参照）。このほか、エクササイザ１は第一ブロック１０及び第二ブロック１１にそれぞれ連結される第一トルク１４及び第二トルク１５をさらに含む。第一トルク１４は第一ブロック１０に連結され、第一トルク１４が第一ブロック１０の上方等の第一位置Ｐ１に位置されるか、或いは第一ブロック１０の下方等の第二位置Ｐ２に位置される。第二トルク１５は第二ブロック１１に連結され、第二トルク１５が第二ブロック１１の上方等の第一位置Ｐ１’に位置されるか、或いは第二ブロック１１の下方等の第二位置Ｐ２’に位置される。
【００２４】
図３Ａに示すように、第一トルク１４は第一ブロック１０の第一位置Ｐ１に位置され、第二トルク１５は第二ブロック１１の第一位置Ｐ１’に位置される。これにより、使用者は身体の部位を利用し、例えば両手や両足を第一トルク１４及び第二トルク１５の外側に設置させ、両手や両足を内に向けて力Ｆ１をかけて第一トルク１４及び第二トルク１５を押圧し、両者の距離を縮める。或いは、第一トルク１４及び第二トルク１５を脇下と上腕との間に設置させ、上腕で力Ｆ１をかけ、第一トルク１４及び第二トルク１５の距離を縮め、これにより上肢の筋肉のエクササイズを行う。
【００２５】
また、図３Ｂに示すように、第一トルク１４は第一ブロック１０の第二位置Ｐ２に位置され、第二トルク１５は第二ブロック１１の第二位置Ｐ２’に位置される。これにより、使用者は身体の部位を利用し、例えば両手や両足を第一トルク１４及び第二トルク１５の内側に設置させ、両手や両足で外に向けて力Ｆ２をかけて第一トルク１４及び第二トルク１５を広げ、両者の距離を広げる。
【００２６】
本考案の実施態様によれば、第二トルク１４及び第二トルク１５の外形は制限されず、原則的には人間工学に符合することが基本である。第一トルク１４及び第二トルク１５の外形は、身体の部位に適合し、例えば、腿や上肢に使用するのに適した造形を有する（図３Ａ及び図３Ｂ参照）。
【００２７】
本考案の実施態様によれば、第一トルク１４及び第二トルク１５は固定部材により、嵌合や螺合等が行われ、第一トルク１４及び第二トルク１５が第一ブロック１０及び第二ブロック１１の第一位置Ｐ１／Ｐ１’或いは第二位置Ｐ２／Ｐ２’にそれぞれ位置される。
【００２８】
この実施態様では、第一トルク１４は１つ或いは複数の第一固定部材１６により第一ブロック１０に連結され、第一トルク１４が第一ブロック１０の第一位置Ｐ１或いは第二位置Ｐ２に位置される（図２、図３Ａ及び図３Ｂ参照）。
好ましくは、第一固定部材１６は取り外し可能な第一ボルト１６であり、第一ブロック１０は第一軸１０２と、第一凹部１０４と、第二凹部１０６とをさらに備える。第一トルク１４の一端は第一軸１０２に枢接され、第一ボルト１６は第一凹部１０４或いは第二凹部１０６内に設置するように置換され、第一トルク１４が第一ブロック１０の第一位置Ｐ１或いは第二位置Ｐ２に位置される。
【００２９】
さらに、図２、図３Ａ及び図３Ｂ参照に示すように、第二トルク１５は１つ或いは複数の第二固定部材１７により第二ブロック１１に連結され、第二トルク１５が第二ブロック１１の第一位置Ｐ１’或いは第二位置Ｐ２’に位置される。  
好ましくは、第二固定部材１７は取り外し可能な第二ボルト１７であり、第二ブロック１１は第二軸１１２と、第一凹部１１４と、第二凹部１１６とをさらに備える。第二トルク１５の一端は第二軸１１２に枢接され、第二ボルト１７は第一凹部１１４或いは第二凹部１１６内に設置するように置換され、第二トルク１５が第二ブロック１１の第一位置Ｐ１’或いは第二位置Ｐ２’に位置される。
【００３０】
第一ボルト１６と第二ボルト１７及び第一軸１０２と第二軸１１２は、使用者がエクササイザ１の使用方式を簡単且つ高速に改変して、異なる部位の筋肉をエクササイズできるようにする。然しながら、第一固定部材１６及び第二固定部材１７は本分野で使用される他の従来の構造でもよく、例えば、ねじでもよい。このほか、他の実施形態においては、第一軸１０２及び第二軸１１２は省略可能である。
【００３１】
図４Ａ及び図４Ｂは本考案の他の実施形態に係るエクササイザ２を示す。本実施形態に係るエクササイザ２は同様に前述の第一ブロック１０と、第二ブロック１１と、ダンパーユニット１３とを有する。異なる箇所は、第一トルク１４及び第二トルク１５が第一固定部材１６及び第二固定部材１７を利用するのではなく、嵌合或いは緊結（ｔｉｇｈｔ  ｆｉｔｔｉｎｇ）方式を利用して第一ブロック１０及び第二ブロック１１に連結される点である。
例えば、第一トルク１４は１つ或いは複数の第一凸ピン１８を有し、第一凸ピン１８が第一ブロック１０の中心凹部１０８や第一凹部１０９等の対応する凹部に嵌合されるか緊結され、第一トルク１４が第一ブロック１０の第一位置Ｐ１に位置される。第一凸ピン１８が第一ブロック１０の中心凹部１０８及び第二凹部１１０に嵌合されるか緊結されると、第一トルク１４が第一ブロック１０の第二位置Ｐ２に位置される。第二トルク１５は１つ或いは複数の第二凸ピン１９を有し、第二凸ピン１９が第二ブロック１１の中心凹部１１８及び第一凹部１１９等の対応する凹部に嵌合されるか緊結されると、第二トルク１５が第二ブロック１１の第一位置Ｐ１’に位置される。第二凸ピン１９が第二ブロック１１の中心凹部１１８及び第二凹部１２０に嵌合されるか緊結されると、第二トルク１５が第二ブロック１１の第二位置Ｐ２’に位置される。第一トルク１４及び第二トルク１５は弾性を有する材料で製造され、装設に便利である。
【００３２】
図５は本考案の他の実施形態に係るエクササイザ３を示す。本実施形態に係るエクササイザ３は同様に前述の第一ブロック１０と、第二ブロック１１と、ダンパーユニット１３とを有する。異なる箇所は、第一トルク１４が第一部分１４Ａ及び第二部分１４Ｂを備え、第一トルク１４が第一ブロック１０に連結され、第一部分１４Ａが第一ブロック１０の第一位置Ｐ１に位置され、第二部分１４Ｂが第一ブロック１０の第二位置Ｐ２に位置される点である。
第二トルク１５は第一部分１５Ａ及び第二部分１５Ｂを備え、第二トルク１５は第二ブロック１１に連結され、第一部分１５Ａが第二ブロック１１の第一位置Ｐ１’に位置され、第二部分１４Ｂが第二ブロック１０の第二位置Ｐ２’に位置される。第一トルク１４、第二トルク１５、第一ブロック１０、及び第二ブロック１１の連結方式は、制限されないが、前述の固定部材、ボルト、嵌合或いは緊結、ネジによる固定等の方式を含む。
上述の構造により、第一トルク１４の第一部分１４Ａ及び第二トルク１５の第一部分１５Ａに力Ｆ１がかけられると、第一トルク１４と第二トルク１５との距離が縮む。第一トルク１４の第二部分１４Ｂ及び第二トルク１５の第二部分１５Ｂに力Ｆ２がかけられると、第一トルク１４と第二トルク１５との距離が延びる。実施形態では、第一トルク１４及び第一ブロック１０が一体成形で製造され、第二トルク１５及び第二ブロック１１が一体成形で製造される。
【００３３】
本明細書に記載する各／全ての実施形態は、本技術分野に習熟する者にとっては各種の修飾、変化、結合、交換、省略、代替、相等の変化が可能であり、互いに排斥し合わないものであれば、全て本考案の概念に属し、本考案の範囲に含まれる。本考案の実施形態の特徴に対応するか相関する構造や方法、及び／或いは本考案者や譲受者が出願、放棄、或いは既に認められた出願案も皆本文に引用し、本考案の明細書の一部とする。引用する部分は、それが対応する、相関する、及び部分的或いは全面的な修飾を含み、（１）操作及び／或いは構造に関するもの、（２）本技術分野に習熟する者による操作及び／或いは構造の修飾、（３）本考案の明細書、本考案に相関する出願案、及び本技術分野に習熟する者の常識及び判断によるあらゆる部分の実施／製造／使用或いは結合を含む。特に説明がない限り、これらの条件句或いは助詞、例えば「できる（ｃａｎ）」、「可能（ｃｏｕｌｄ）」、「でもよい（ｍｉｇｈｔ）」、或「場合（ｍａｙ）」等は、通常は本考案の実施形態を表現するが、但し不要な特徴、部材、或いは工程と解釈してもよい。他の実施形態では、これらの特徴、部材、或いは工程は不要な場合もある。
【００３４】
なお、本文の前述の文件の内容を本文に引用し、本考案の明細書の一部分とする。本考案の実施形態は例示に過ぎず、本考案の範囲を制限するものではない。本考案の特徴或いは方法工程及び技術を含む他の特徴や、出願案の特徴或いは構造に対する部分的或いは全面的なあらゆる結合や変更も、本考案とは不等な別の代替できない実施形態である。
本考案の特徴及び方法に対応するか関連するものや、文中から導き出されるものと矛盾しないもの、及び本技術分野に習熟する者による部分的或いは全面的な修飾、例えば、（１）操作及び／或いは構造的なもの、（２）本技術分野に習熟する者による操作及び／或いは構造の修飾、（３）本考案の明細書の如何なる部分に対する実施／製造／使用或いは結合、例えば、（Ｉ）本考案に関連する如何なる構造及び方法の一部或いは複数の部分、及び／或いは（ＩＩ）如何なる１つ或いは複数の特徴或いは実施形態の内容に対する如何なる変更及び／或いは組み合わせを含む、本考案の１つ或いは複数の考案の概念及び部分的な内容に対する如何なる変更及び／或いは組み合わせも本考案の範囲に含まれる。
【符号の説明】
【００３５】
１      エクササイザ
２      エクササイザ
３      エクササイザ
１０    第一ブロック
１１    第二ブロック
１２    軸
１３    ダンパーユニット
１４    第一トルク
１４Ａ  第一部分
１４Ｂ  第二部分
１５    第二トルク
１５Ａ  第一部分
１５Ｂ  第二部分
１６    第一固定部材／第一ボルト
１７    第二固定部材／第二ボルト
１８    第一凸ピン
１９    第二凸ピン
１０２  第一軸
１０４  第一凹部
１０６  第二凹部
１０８  中心凹部
１０９  第一凹部
１１０  第二凹部
１１２  第二軸
１１４  第一凹部
１１６  第二凹部
１１８  中心凹部
１１９  第一凹部
１２０  第二凹部
１３０  スプリング
１３２  移動ブロック
１３４  スクリュー
１３６  調整つまみ
Ａ      時計回り方向
Ｂ      反時計回り方向
Ｆ１    力
Ｆ２    力
Ｐ１／Ｐ１‘  第一位置
Ｐ２／Ｐ２‘  第二位置
【図１Ａ】
0003199856.tif 000003
【図１Ｂ】
0003199856.tif 000004
【図２】
0003199856.tif 000005
【図３Ａ】
0003199856.tif 000006
【図３Ｂ】
0003199856.tif 000007
【図４Ａ】
0003199856.tif 000008
【図４Ｂ】
0003199856.tif 000009
【図５】
0003199856.tif 000010